(57)【特許請求の範囲】
【請求項１】
被転写層が積層されたベースシートを備えたテープを掛け回して前記被転写層を転写可能とした転写ヘッドにおいて、
前記テープが掛け回されるヘッド本体と、このヘッド本体の両側に設けられた一対のガイド部とからなり、
前記各ガイド部は規制部を備え、当該規制部は前記ガイド部の相対部を凹ませてヘッド本体の上面に連なる逃げ溝により構成され、当該逃げ溝は、前記テープの延出方向に沿って延びて形成されるとともに、テープの幅方向端部を受け入れ可能に設けられていることを特徴とする転写ヘッド。
【発明の詳細な説明】
【０００１】
【発明の属する技術分野】
本発明は、転写ヘッドに係り、更に詳しくは、テープの被転写層を転写するときに、直線的に行われるべき操作方向に多少のずれ、すなわち蛇行があっても、そのずれを吸収しつつ、テープの脱落も防止することができる転写ヘッドに関する。
【０００２】
【従来の技術】
従来より、文字等を隠蔽して修正したり、粘着テープ等を貼り付け可能とした転写具が広く利用されるに至っている。この転写具は、一対のローラ間に延びるとともに、修正剤や粘着剤等からなる被転写層が積層されたテープを掛け回す転写ヘッドを備えて構成されている。
【０００３】
前記転写ヘッドは、先端にテープが掛け回された板状のヘッド本体と、このヘッド本体の先端側であってテープの幅方向両側に位置する片部材からなる一対のガイド部とを備えて構成されている。各ガイド部は、平面形状が先端に向かうに従って先細となる略三角形状に設けられ、ヘッド本体の先端を被転写面に押し当て易いようになっている。また、各ガイド部は、被転写層の転写時に、ヘッド本体の先端を通過するテープが横方向にずれた場合、各ガイド部の相対面にテープの幅方向端部が接触することにより、当該テープの掛け回し姿勢を維持するようになっている。
【０００４】
【発明が解決しようとする課題】
しかしながら、このような転写ヘッドにあっては、被転写層の転写時に、テープの幅方向端部がガイド部の相対面に接触した場合、テープが前記相対面を乗り上がる傾向が強い。この状態で、転写作業を継続すると、最終的に、テープがガイド部を乗り越えてしまい、ヘッド本体から脱落してしまうという不都合を生じる。これは、ガイド部の形状を先細形状としたことに起因するものであるが、ガイド部の先端を太くすると、ヘッド本体の先端を被転写面に押し当て難くなり、被転写層の転写作業が困難になるという反射的不都合を招来する。また、各ガイド部の上端に、その開放幅を狭めるように連なる片状部を備えたものも存在するが、この場合、各片状部の離間幅がテープ幅より小さくなる傾向が強く、組立時にテープを傷付けてしまう虞がある。そこで、被転写層の転写をスムースに行うことができ、且つ、テープがヘッド本体の先端から不用意に脱落しないような転写ヘッドの出現が待望されていた。
【０００５】
【発明の目的】
本発明は、このような要請に対応して案出されたものであり、その目的は、被転写層を転写するときに、テープが横方向にずれた場合であっても、ヘッド本体からの脱落を確実に防止することができ、転写作業をスムースに行うことのできる転写ヘッドを提供することにある。
【０００６】
【課題を解決するための手段】
前記目的を達成するため、本発明は、被転写層が積層されたベースシートを備えたテープを掛け回して前記被転写層を転写可能とした転写ヘッドにおいて、
前記テープが掛け回されるヘッド本体と、このヘッド本体の両側に設けられた一対のガイド部とからなり、
前記各ガイド部は規制部を備え、当該規制部は前記ガイド部の相対部を凹ませてヘッド本体の上面に連なる逃げ溝により構成され、当該逃げ溝は、前記テープの延出方向に沿って延びて形成されるとともに、テープの幅方向端部を受け入れ可能に設けられる、という構成を採っている。このような構成によれば、被転写層を転写させるときに、テープがガイド部を乗り越えることを確実に防止することができ、テープの掛け回し姿勢を安定的に維持することが可能となる。これにより、若干蛇行を伴う転写作業が行われても、これを吸収して転写をスムースに行うことができ、従来の転写ヘッドに比べて操作性を格段に向上させることが可能となる。
また、テープがガイド部を乗り越えることなくテープの幅方向端部が逃げ溝に受け入れられるため、ガイド部を先細形状とした場合であっても、テープの脱落を効果的に抑制することができる。
しかも、各ガイド部の開放幅をテープ幅より大きく設定することができ、組立時においてテープを損傷させることもない。
【０００８】
【実施例】
以下、本発明の実施例を図面を参照しながら説明する。
【０００９】
図１には、本発明に係る転写ヘッドが適用された転写具の概略構成図が示されている。この図において、転写具１０は、所定の収容空間を備えたケース１１と、このケース１１内に配置されて相互に同期回転可能となる繰出ローラ１２及び巻取ローラ１３と、これら繰出ローラ１２と巻取ローラと１３の間に延びるとともに、片面側に修正剤や粘着剤等の被転写層１５（図３参照）が積層されたベースシート１６を備えたテープ１７と、このテープ１７をケース１１の外部で反転して掛け回す転写ヘッド１９とを備えて構成されている。ここで、繰出ローラ１２及び巻取ローラ１３は、実質的に、公知の転写具に用いられるものと同様の形状、構造が採用されており、ここでは、説明を省略する。
【００１０】
前記転写ヘッド１９は、図１及び図２に示されるように、ケース１１内の軸部材１１Ａに支持された略円筒状の基部２０と、この基部２０に連なって略水平方向（図１中左方向）に延びるとともに、先端側にテープ１７が掛け回される片状のヘッド本体２１と、このヘッド本体２１の先端側であってテープ１７の幅方向両側にそれぞれ位置する一対のガイド部２２，２２とを備えて構成されている。
【００１１】
前記基部２０は、前記軸部材１１Ａに沿う内面形状を備えた貫通穴２４を備え、この貫通穴２４は、図３に示されるように、丸穴と角穴を組み合わせた内面形状を呈しており、ヘッド本体２１の先端側が回転することができないように支持されている。また、基部２０の上面側には、テープ１７の幅より若干大きい幅を備えた凹み部２５が設けられ、当該凹み部２５上を通過するテープ１７の横方向のずれを抑制するようになっている。
【００１２】
前記ヘッド本体２１は、図３に示されるように、先端に向かうに従って次第に細くなる縦断面形状を備えており、当該先端を用紙等に押し当ててケース１１を水平移動させることにより、被転写層１５を図示しない用紙面に転写可能となっている。
【００１３】
前記各ガイド部２２は、ヘッド本体２１の先端側（図３中左端側）が先細の略三角形となる平面形状を備えた片状に設けられている。図４に示されるように、各ガイド部２２の相互離間幅Ｗ１は、テープ１７の幅Ｗ２より若干大きくなるように設定され、これにより、テープ１７の回行操作をある程度保つことができる他、転写具１０の組立時に、ガイド部２２に干渉することなくヘッド本体２１にテープ１７を容易に掛け回すことが可能となる。ここで、各ガイド部２２の先端側には、当該ガイド部２２先端にテープ１７が乗り上がることを規制する規制部２６が設けられている。
【００１４】
前記規制部２６は、ヘッド本体２１の上面に連なる位置に形成されるとともに、ガイド部２２の相対部２２Ａを凹ませるように設けられた逃げ溝２７により構成されている。この逃げ溝２７は、テープ１７の延出方向に沿って延び、ヘッド本体２１の上方に位置するテープ１７の幅方向端部を受け入れ可能に設けられている。
【００１５】
以上の構成において、被転写層１５を用紙等に転写する場合、ヘッド本体２１の先端を押し当ててケース１１を水平方向に移動させればよい。これにより、テープ１７が繰出ローラ１２及び巻取ローラ１３により順次引き出され、ヘッド本体２１の先端位置で被転写層１５が用紙面に転写されることとなる。この際、テープ１７が蛇行して横方向（図５中左右方向）にずれた場合、テープ１７の幅方向端部が逃げ溝２７内に位置する。そして、テープ１７が更に横方向にずれた場合であっても、図６（Ａ）及び（Ｂ）に示されるように、前記端部又はその周辺部が逃げ溝２７の上面領域に突き当たり、テープ１７がガイド部２２に乗り上がらないようになっている。
【００１６】
従って、このような実施例によれば、各ガイド部２２の相対部２２Ａに規制部２６を設けたから、被転写層１５を転写するときに、ケース１１の操作移動方向が蛇行した場合であっても、テープ１７の掛け回し姿勢を安定的に維持して被転写層１５の転写作業をスムースに行うことができる。
【００１７】
なお、前記逃げ溝２７の形状は、図示構成例に限定されるものでなく、例えば、図７（Ａ）に示されるように、側面視蟻溝状としたり、若しくは、図７（Ｂ）に示されるように、蟻溝に近似した形状等に代替してもよい。要するに、逃げ溝２７は、テープ１７が横方向にずれたときに、テープ１７の幅方向端部を受け入れ可能に設けられていれば足りる。
【００１８】
【発明の効果】
以上説明したように、本発明は、ヘッド本体の両側に設けられたガイド部の先端にテープが乗り上がることを規制する規制部を設けたから、被転写層の転写時に、テープがガイド部を乗り上がるようなことがなくなり、テープの掛け回し姿勢を確実に保つことができる。
【００１９】
また、規制部をガイド部の相対部に形成された逃げ溝により構成した場合には、テープが横方向にずれたときに、当該テープがガイド部を乗り越えることを防止することが可能となり、ガイド部を先細形状とした場合であっても、テープが脱落する虞を有効に回避することができる。
【図面の簡単な説明】
【図１】  本発明に係る転写ヘッドが適用された転写具の概略構成図。
【図２】  前記転写ヘッドの概略斜視図。
【図３】  図４のＡ−Ａ線に沿う断面図。
【図４】  図２の平面図。
【図５】  図２の左側面図。
【図６】  （Ａ）及び（Ｂ）は、テープがずれた状態を示す図５と同様の左側面図。
【図７】  （Ａ）及び（Ｂ）は、他の変形例に係る転写ヘッドの図５と同様の左側面図。
【図１】
0004678113.tif 000002
【図２】
0004678113.tif 000003
【図３】
0004678113.tif 000004
【図４】
0004678113.tif 000005
【図５】
0004678113.tif 000006
【図６】
0004678113.tif 000007
【図７】
0004678113.tif 000008